(57)【要約】【課題】本発明は、帯状ホース８の巻き取り動作が容易で、巻き取り後も保管、再使用するときに便宜なホース巻取敷設装置１を提供することを目的とする。【解決手段】左孔４ｅを穿設した左縦枠４ａと右孔４ｆを穿設した右縦枠４ｂ及び前記左縦枠４ａと右縦枠４ｂとを連設する上枠４ｃからなるコの字形状の起立部４と、前記起立部４を取り付けた基台５と、前記基台５の前記起立部４より前方に設けた挿通スペース５ｍの幅を調節することができるガイド５ｎ、及び回転軸６ａにホース８の末端８ｂを差し込む差込溝６ｇを有し、前記起立部４に挿入したハンドル６とからなるホース巻取器２、及び、略長方形の枠体３ｃ、及び左右孔３ｈ、３ｉに挿入した回転する軸３ｊと、前記軸３ｊを抜け止めするピン７ａからなる取付部３ａと、前記取付部３ａに接合した取手部３ｂとからなるホース敷設器３とからなることを特徴とするホース巻取敷設装置１の構成とした。【選択図】  図１
2007039218.tif 000002
【特許請求の範囲】
【請求項１】
左孔を穿設した左縦枠と右孔を穿設した右縦枠及び前記左縦枠と前記右縦枠とを連設する上枠からなるコの字形状の起立部と、前記起立部を取り付けた基台と、前記基台の前記起立部より前方に設けた挿通スペースの幅を調節するガイド、及び回転軸にホースの末端を差し込む差込溝を有し、前記起立部の左右孔に挿入し、ピンで抜け止めした回転するハンドルとからなることを特徴とするホース巻取器。
【請求項２】
上下枠部と左右孔が穿設された左右枠部からなる略長方形の枠体、及び前記左右孔に挿入した回転する軸と、前記軸を抜け止めするピンからなる取付部と、前記取付部の上枠部に接合した取手部とからなることを特徴とするホース敷設器。
【請求項３】
左孔を穿設した左縦枠と右孔を穿設した右縦枠及び前記左縦枠と前記右縦枠とを連設する上枠からなるコの字形状の起立部と、前記起立部を取り付けた基台と、前記基台の前記起立部より前方に設けた挿通スペースの幅を調節するガイド、及び回転軸にホースの末端を差し込む差込溝を有し、前記起立部の左右孔に挿入し、ピンで抜け止めした回転するハンドルとからなるホース巻取器、及び、上下枠部と左右孔が穿設された左右枠部からなる略長方形の枠体、及び前記左右孔に挿入した回転する軸と、前記軸を抜け止めするピンからなる取付部及び、前記取付部の上枠部に接合した取手部とからなるホース敷設器とから構成されることを特徴とするホース巻取敷設装置。
【発明の詳細な説明】
【技術分野】
【０００１】
本発明は、農作業などで使用する帯状の灌水ホースを巻き取る器具に関する発明である。
【背景技術】
【０００２】
農業用として使用される灌水ホースは全長も長い上、帯状であるため捻れやズレ、たわみ等がおこりやすく巻き取り作業は重労働であった。そこで、ホースの巻取器として、特許文献１、２に記載の発明が公開されている。
【０００３】
特許文献１に記載のホース巻き取り具は、枠状本体にハンドルを付設した矩形回転軸を設け、当該回転軸に、巻き取り用芯部の両端に対向側板を設けた巻き取りリールを、抜け止めを施して装着し、ハンドル操作で巻き取りリールを回転して帯状のホースの巻き取りを行う器具である。
【０００４】
この巻き取り具は、リールが本体から外れること、ガイドローラーによりホース内の空気や残水の巻き取り側への侵入を防止すること、またホースを巻き取った後に、リール部に予めセットした紐で、ホースを結束できるなどの特徴を有する。
【特許文献１】特開平１０−４５３３７号公報
【０００５】
一方、特許文献２に記載の巻取装置は、帯状部材を巻き取るためのリールと、このリールを回転可能に保持するフレームとを備え、前記リールは回転軸の両側に相対向して間隔調整可能に設けられる左右一対の側枠を有し、その両側枠の少なくとも一方が前記回転軸に対して着脱自在とされると共に、前記回転軸の周囲には両側枠の間でテーパ状の巻芯が設けられている。
【０００６】
この巻取装置は、  テーパ状を成す巻芯の外周に帯状部材を巻き付けるようにしていることから、帯状部材を強固に巻き取っても、帯状部材をロール形状に保ったまま、その中心から巻芯を容易に抜き取ることができること、多数の帯状部材をロール巻きにする場合でも一つの巻芯を繰り返して使用できるなどの特徴を有する。
【特許文献２】特開２００４−０４３１３７号公報
【発明の開示】
【発明が解決しようとする課題】
【０００７】
しかしながら、特許文献１、２に記載の発明は、共にホースなどを巻き付けるリールを回転させること、さらに巻き取ったホースなどをリールごと、リール支持体から外すことから、構造が複雑である欠点がある。
【０００８】
さらに、支持体がリールの片側だけであることから、ホースなどを長く巻き取ったとき支持体がない方に、ホースなどの重みで傾き、巻き取り動作が困難になる欠点があった。
【０００９】
加えて、ガイドローラーは、ホースを上下から挟み込む状態で設置されているため、ホース内部の残留水を取り除く作用はあるものの、横方向のズレに対しての防止効果はない点問題である。
【００１０】
特に、特許文献１に記載の巻き取り具は、ホースを巻き取った後、紐で結束し保管するとしているが、その作業が繁雑である点問題である。
【００１１】
一方、特許文献２に記載の巻取装置は、帯状部材を巻き取った後の保管方法について、何ら記載されていない。
【００１２】
そこで、本発明は、ハンドル自体にホースを巻き付ける構造とし、巻き付けたホースを２本の支持体で均等に支持し、ホースを長く巻いても巻き付け動作に支障がなく、横方向へのズレを防止し、巻き取り後もホースをロール形状を崩さずに確実に保管すること、及び巻き取ったホースを再使用するときに便宜なホース巻取敷設装置を提供することを目的とするものである。
【課題を解決するための手段】
【００１３】
本発明は、上記の課題を解決するために、左孔４ｅを穿設した左縦枠４ａと右孔４ｆを穿設した右縦枠４ｂ及び前記左縦枠４ａと右縦枠４ｂとを連設する上枠４ｃからなるコの字形状の起立部４と、左起立枠５ａと右起立枠５ｂとの間に設けた底枠５ｃと前記底枠５ｃの両端に留具５ｄにより取り付けられた前後安定板５ｅ、５ｆからなる基台５と、前記基台５の前記起立部４より前方で基台５の一端に留具５ｊにより取り付けられネジ孔５ｋを穿設したコの字形状の外ガイド材５ｉと前記外ガイド材５ｉの内側に取り付けられネジ孔５ｋを穿設したコの字形状の内ガイド材５ｇからなり、前記ネジ孔５ｋに調整ネジ５ｌを取り付け、挿通スペース５ｍの幅を調節することができるガイド５ｎ、及び先端にピン挿入孔６ｆを穿設した回転軸６ａにホース８の末端８ｂを差し込む差込溝６ｇを有し、前記起立部４の左右孔４ｅ、４ｆに挿入し、ピン７で抜け止めした回転するハンドル６とからなるホース巻取器２、及び、上下枠部３ｄ、３ｅと左右孔３ｈ、３ｉが穿設された左右枠部３ｆ、３ｇからなる略長方形の枠体３ｃ、及び前記左右孔３ｈ、３ｉに挿入した回転する軸３ｊと、前記軸３ｊを抜け止めするピン７ａからなる取付部３ａと、前記取付部３ａの上枠部３ｄに接合した取手部３ｂとからなるホース敷設器３とから構成されることを特徴とするホース巻取敷設装置１の構成とした。
【発明の効果】
【００１４】
本発明のホース巻取敷設装置１は、以上の構成であるから以下の効果が得られる。
【００１５】
本発明のホース巻取器２は、リール構造を有することなく、ハンドル６の回転軸６ａに直接ホース８を巻き付ける構造であるから、巻き付けたホース８を左右縦枠４ａ、４ｂで均等に支持することができ、ホース８を長く巻いても巻き付け動作に支障がない。さらに、構造が簡易で、ホース８の巻き取りごとに、巻芯を必要としないことから安価に生産できる。
【００１６】
また、ガイド５ｎがホース８を押さえる外ガイド材５ｉを備えることから、横方向のズレに対しても防止効果がある。さらに、調整ネジ５ｌを利用することで、幅が狭いホースを巻き取るときにおいても横方向のズレを防止することができる。従って、多種のホースを１台のホース巻取器２で巻き取ることができる。
【００１７】
ホース敷設器３は、ホース８を巻き取った後において、取付部３ａで巻き取ったホース８を挟み込んだ後、軸３ｊを挿入し、軸３ｊをピン７ａで抜け止めしてロール形状が崩れることなくホース８を保管することができる。加えて、巻き取ったホース８を再使用するときは、ホース敷設器３に取り付けたままホース８を敷設することができる。
【発明を実施するための最良の形態】
【００１８】
灌水ホースのなど帯状ホース８の巻き取り動作がスムーズで、簡易な構造とし、巻き取り後もロール形状を崩すことなく保管、又巻き取ったホース８を再使用するときは、ホース敷設器３に取り付けたまま敷設するホース巻取敷設装置１を提供するために、左右縦枠４ａ、４ｂにハンドル６の回転軸６ａを挿入し、回転軸６ａにホース８を巻き付ける構造とし、左右縦枠４ａ、４ｂ及びガイド５ｎにより横方向へのズレを防止し、巻き取り後は、ホース８の略長方形の取付部３ａにホース８をロール形状のまま軸３ｊで固定するホース敷設器３を備えることで実現した。
【実施例１】
【００１９】
以下に、添付図面に基づいて、本発明であるホース巻取敷設装置１について詳細に説明する。
【００２０】
図１は、本発明であるホース巻取敷設装置の斜視図である。図１に示すようにホース巻取敷設装置１はホース巻取器２とホース敷設器３とからなる。
【００２１】
図２は、本発明であるホース巻取器の斜視図である。図２に示すように、ホース巻取器２は、ホース８の横方向へのズレを防止し、巻き取られるホース８を支持するコの字形状の起立部４と、起立部４を取り付けた基台５と、起立部４に挿入されたホース８を巻くハンドル６と、基台５の起立部４より前方に備え付けられたホース８の横方向へのズレを防止するガイド５ｎからなる。
【００２２】
起立部４は、左孔４ｅを穿設した左縦枠４ａと右孔４ｆを穿設した右縦枠４ｂと、左右縦枠４ａ、４ｂと連設する上枠４ｃとからなり、下向きコの字形状である。左右縦枠４ａ、４ｂに設けられた左右孔４ｅ、４ｆは、ハンドル６を挿入する孔である。
【００２３】
左右縦枠４ａ、４ｂの間隔は、巻き取るホース８の幅に合わせることで、ホース８が横にズレることなく体裁良くロール形状に巻き取ることができる。
【００２４】
また、左右縦枠４ａ、４ｂの横幅は、巻き取るホース８の重量により適宜幅広にする必要がある。この起立部４は、巻き取ったホース８の重量を支持する部分であるからである。
【００２５】
なお、起立部４は、後述の基台５に留具４ｄなどで固定する。この起立部４は、左右縦枠４ａ、４ｂで、巻き取られるホース８を均等に支持することができることから、ホース８を長く巻き取るときでも、巻き取り動作に支障を生じない。
【００２６】
断面形状がコ字状型の基台５は、左起立枠５ａと右起立枠５ｂとの間に設置された底枠５ｃと、底枠５ｃの両端に留具５ｄにより取り付けられた前後安定板５ｅ、５ｆからなる。前後安定版５ｅ、５ｆを取り付けることにより、底枠５ｃの幅が狭くても、即ち巻き取るホース８の幅が狭くても、充分の長さのホース８を本発明であるホース巻取器２が転倒などすることなく安定して、巻き取ることができる。
【００２７】
ハンドル６は、先端にピン挿入孔６ｆを穿設した回転軸６ａと連結部６ｂとをＬ字の連結部材６ｄにより連結し、さらに連結部材６ｄとハンドル軸６ｈとをＬ字の連結部材６ｅにより連結し、ハンドル軸６ｈに筒状の握持部６ｃを挿入し、ハンドル軸６ｈの末端をハンドル栓６ｉで抜け止めをしてなる。
【００２８】
ハンドル６は、起立部４に設けられた左右孔４ｅ、４ｆに、回転軸６ａを挿入した後、ピン挿入孔６ｆにピン７などにより抜け止めを施して装着し、握持部６ｃを手で握り回転軸６ａを軸に回転させ、回転軸６ａにホース８を巻き付ける。
【００２９】
ガイド５ｎは、基台５の起立部４より前方に留具５ｊにより取り付けられ、ネジ孔５ｋを穿設した下向きコの字形状の外ガイド材５ｉと留具５ｈにより、外ガイド材５ｉの内側に取り付けられネジ孔５ｋを穿設した下向きコの字形状の内ガイド材５ｇとからなる。
【００３０】
これにより、横方向へのズレを防止するとともに、ホース８の内部にある残留水、空気をしごき出す機能も有する。
【００３１】
図３は、本発明であるホース敷設器の斜視図である。図３に示すように、ホース敷設器３は、ホース８の取付部３ａと取手部３ｂからなる。
【００３２】
取付部３ａは、上下枠部３ｄ、３ｅと左右孔３ｈ、３ｉが穿設された左右枠部３ｆ、３ｇからなる略長方形の枠体３ｃ、及び左右孔３ｈ、３ｉに挿入した回転する軸３ｊと、軸３ｊを抜け止めするピン７ａからなる。
【００３３】
取手部３ｂは、上板３ｋと左板３ｌと右板３ｍとをコの字形状に成形し、取付部３ａの上枠部３ｄに連設する。ホース８を取り付けた後、移動などの際、手で持つことができる部分であり、保管の際は、吊り下げるための引っ掛け部となる。
【００３４】
従って、巻き取り後ホース敷設器３に保管していたホース８を再使用するときは、取手部３ｂを持ちながらホース８を敷設することができる。
【００３５】
ホース巻取器２によりロール形状に巻き取られたホース８に取付部３ａを嵌め込んだ後、軸３ｊをロール形状のホース８の中心に位置させるよう、左右枠部３ｆ、３ｇに穿設した左右孔３ｈ、３ｉに挿入し、ピン７ａなどで抜け止めして固定する。
【００３６】
これにより、ロール形状に巻き取られたホース８を、ロール形状を崩すことなく、確実に移動、保管すること、及び敷設することが可能になる。
【００３７】
取付部３ａの枠体３ｃと取手部３ｂとは、一体として、一枚の板から折り曲げて簡易に作ることができる。金属板の一方の先端部をコの字形状に折り曲げ取手部３ｂとなし、取手部３ｂの左板３ｌと左枠部３ｆが一体として成形し、また取付部３ａもコの字形状に折り曲げ、取手部３ｂの右板３ｍの一部と重なり部分を残し、直角に左板３ｌの方向に折り曲げ、先端部分で左板３ｌと重なるようにさらに折り曲げて成形することができる。
【００３８】
なお、取付部３ａの左枠部３ｆと取手部３ｂの左板３ｌの先端との重なり部分、及び右枠部３ｇと右板３ｍの重なり部分を留具３ｎで固定することで、重いホース８を軸３ｊに取り付けても、移動、保管の際の吊り下げ、敷設作業に充分耐えることができる。
【００３９】
図４は、本発明であるホース巻取器で巻き取りを開始するときの状態を示した図である。図４に示すように、ホース８をホース巻取器２にセットする場合、内ガイド材５ｇと外ガイド材５ｉとの間にできた挿通スペース５ｍにホース８を通し、回転軸６ａに刻設された差込溝６ｇにホース８の末端８ｂを挟む。そしてハンドル６を回転させることにより回転軸６ａを軸にホース８を巻き取ってゆく。
【００４０】
特に、起立部４の左右縦枠４ａ、４ｂの間隔より、狭いホース８を巻き取る際は、ホース８が捻れたりズレたりしないように内ガイド材５ｇと外ガイド材５ｉにそれぞれ穿設されたネジ孔５ｋに挿通された調整ネジ５ｌにより、挿通スペース５ｍの幅を調節し、横方向に閉じ込めた状態でホース８を巻き取ることができる。
【００４１】
これによりホース８を巻き取る際に発生しやすい捻れやズレ、たわみ等を防止し体裁よくホース８を巻き取ることができる。また挿通スペース５ｍの幅を狭く調節することでホース８を搾る効果もありホース８の内部の残留水を取り除くこともできる。
【００４２】
図５は、本発明であるホース巻取器から巻き取られたホースを外す状態を示した図である。図５に示すように、巻き取られたホース８をホース巻取器２から外す場合、ホース８を先端８ａまで巻き取った状態にし、回転軸６ａからピン７をはずして挟んだホース８の末端８ｂを差込溝６ｇに滑らせるようにしてハンドル６を起立部４から抜き取ってゆく。
【００４３】
このようにハンドル６を起立部４から抜き取れば、ホース８は巻き取られた状態のままホース巻取器２から外すことができる。なお、ハンドル６を抜き取るとき、ハンドル６を巻き取りと反対方向に１／４から半回転回すことで、容易にハンドル６を抜き取ることができる。
【００４４】
図６は、本発明であるホース巻取器にホースが巻き取られた状態の側面断面図である。図６に示すように、巻き取られたホース８はロール形状に収納される。
【００４５】
図７は、本発明であるホース敷設器に巻き取られたホースを取り付け固定した状態の斜視図である。図７に示すように、巻き取られたホース８は、取付部３ａの枠体３ｃに嵌め込み、軸３ｊをロール形状のホース８の中心を通すよう、左右枠部３ｆ、３ｇに穿設した左右孔３ｈ、３ｉに挿入し、ピン７ａなどで抜け止めして固定することができる。
【００４６】
また巻き取られたホース８が、上下枠部３ｄ、３ｅと左右孔３ｈ、３ｉが設けられた左右枠部３ｆ、３ｇからなる略長方形の枠体３ｃ、及び左右孔３ｈ、３ｉに挿入した回転する軸３ｊと、軸３ｊを抜けないように固定するピン７ａからなる取付部３ａに収められることでたわみやズレを防止しロール形状を崩すことなく巻き取られた状態で保管できる。
【００４７】
さらに、巻き取ったホース８を再使用するときは、ホース敷設器３に取手部３ｂが設けられていること、及びホース８が巻き付けられている軸３ｊが回転することから、ホース８の先端８ａ部分を固定し、ホース敷設器３の取手部３ｂを手で持って歩きながら、ホース８をホース敷設器３に取り付けたまま容易に敷設することができる。
【００４８】
なお、取手部３ｂは、手で握ることができる形状であれば、特に図示した形状に限定されることがないのは勿論である。
【図面の簡単な説明】
【００４９】
【図１】本発明であるホース巻取敷設装置の斜視図である。
【図２】本発明であるホース巻取器の斜視図である。
【図３】本発明であるホース敷設器の斜視図である。
【図４】本発明であるホース巻取器で巻き取りを開始するときの状態を示した図である。
【図５】本発明であるホース巻取器から巻き取られたホースを外す状態を示した図である。
【図６】本発明であるホース巻取器にホースが巻き取られた状態の側面断面図である。
【図７】本発明であるホース敷設器に巻き取られたホースを取り付けた状態の斜視図である。
【符号の説明】
【００５０】
１      ホース巻取敷設装置
２      ホース巻取器
３      ホース敷設器
３ａ    取付部
３ｂ    取手部
３ｃ    枠体
３ｄ    上枠部
３ｅ    下枠部
３ｆ    左枠部
３ｇ    右枠部
３ｈ    左孔
３ｉ    右孔
３ｊ    軸
３ｋ    上板
３ｌ    左板
３ｍ    右板
３ｎ    留具
４      起立部
４ａ    左縦枠
４ｂ    右縦枠
４ｃ    上枠
４ｄ    留具
４ｅ    左孔
４ｆ    右孔
５      基台
５ａ    左起立枠
５ｂ    右起立枠
５ｃ    底枠
５ｄ    留具
５ｅ    前安定板
５ｆ    後安定板
５ｇ    内ガイド材
５ｈ    留具
５ｉ    外ガイド材
５ｊ    留具
５ｋ    ネジ孔
５ｌ    調整ネジ
５ｍ    挿通スペース
５ｎ    ガイド
６      ハンドル
６ａ    回転軸
６ｂ    連結部
６ｃ    握持部
６ｄ    連結部材
６ｅ    連結部材
６ｆ    ピン挿入孔
６ｇ    差込溝
６ｈ    ハンドル軸
６ｉ    ハンドル栓
７      ピン
７ａ    ピン
８      ホース
８ａ    先端
８ｂ    末端
【図１】
2007039218.tif 000003
【図２】
2007039218.tif 000004
【図３】
2007039218.tif 000005
【図４】
2007039218.tif 000006
【図５】
2007039218.tif 000007
【図６】
2007039218.tif 000008
【図７】
2007039218.tif 000009